(57)【要約】【課題】光学フィルタをがたつきなく低コストで取付けること。【解決手段】ＣＣＤ素子１４の前方にレンズホルダ２０を介して遮光カバー３０が配設固定される。遮光カバー３０には、光学フィルタ４０を収容可能な収容開口部３４が形成され、収容開口部３４の内周部に当接部３５と係合凸部３８とが形成される。係合凸部３８は、弾性片３７と弾性片３７の先端部に内向きに突設された係合凸部３８とを有しており、係合凸部３８は傾斜状の付勢面３８ａを有している。光学フィルタ４０を収容開口部３４内に押込むことで、光学フィルタ４０の一方面側周縁部が当接部３５に当接すると共に、付勢面３８ａが光学フィルタ４０の他方面側周縁部に当接して該光学フィルタ４０を当接部に向けて付勢する。【選択図】図１
2005309051.tif 000002
【特許請求の範囲】
【請求項１】
撮像素子の撮像面前方に光学フィルタを保持する光学フィルタ保持装置であって、
前記光学フィルタを収容可能な収容開口部が形成された本体部と、前記収容開口部の内周部に形成され前記光学フィルタの一方面側に当接可能な当接部と、前記収容開口部の内周部に突設されて前記光学フィルタの内外方向で弾性変形自在な弾性片と前記弾性片の先端部に前記収容開口部の内向きに突設され前記光学フィルタの他方面側周縁部に抜止め状に係合可能な係合凸部とを有する抜止係合部と、を有する光学フィルタ保持部材を備え、
前記係合凸部は、前記光学フィルタの他方面側周縁部に当接して、前記弾性片の弾性復帰力により前記光学フィルタを前記当接部側に向けて付勢する付勢面を有する、光学フィルタ保持装置。
【請求項２】
請求項１記載の光学フィルタ保持装置であって、
前記付勢面は、前記当接部とは反対側に向けて前記収容開口部の内向きに傾斜する形状に形成されている、光学フィルタ保持装置。
【請求項３】
請求項２記載の光学フィルタ保持装置であって、
前記付勢面が当接する部分が、その付勢面と面接触可能なフィルタ側傾斜面に形成された光学フィルタをさらに備えた、光学フィルタ保持装置。
【請求項４】
請求項１〜請求項３記載のいずれかに記載の光学フィルタ保持装置であって、
前記係合凸部は、前記当接部とは反対側に向けて前記収容開口部の外向きに傾斜するガイド傾斜面を有する、光学フィルタ保持装置。
【請求項５】
請求項１〜請求項４のいずれかに記載の光学フィルタ保持装置であって、
前記撮像面の前方周囲を取囲むように配設される遮光周壁部をさらに備えた光学フィルタ保持装置。
【請求項６】
請求項１〜〜請求項５のいずれかに記載の光学フィルタ保持装置であって、
複数の前記抜止係合部が、前記光学フィルタにその周囲四方から係合する各位置に設けられている、光学フィルタ保持装置。
【請求項７】
請求項１〜請求項６のいずれかに記載の光学フィルタ保持装置であって、
前記抜止係合部は、前記光学フィルタが正常姿勢で前記収容開口部内に嵌め込まれた状態で、前記光学フィルタの他方面側周縁部に抜止め状に係合可能な位置に形成されている、光学フィルタ保持装置。
【請求項８】
請求項１〜請求項７のいずれかに記載の光学フィルタ保持装置であって、
前記光学フィルタは、縦横の長さが異なる形状に形成され、
前記抜止係合部は、前記光学フィルタが正常姿勢で前記収容開口部内に嵌め込まれた状態で、前記光学フィルタの他方面側周縁部にその周囲四方からそれぞれ係合する各位置に設けられている、光学フィルタ保持装置。
【請求項９】
請求項１〜請求項８のいずれかに記載の光学フィルタ保持装置であって、
前記当接部と係合凸部とは、前記撮像面よりもその前方に配設されることとなるレンズ系の焦点位置に近い位置で、前記光学フィルタを保持する、光学フィルタ保持装置。
【発明の詳細な説明】
【技術分野】
【０００１】
車両周辺景色を撮像する車載用カメラ等のカメラ装置に光学フィルタを取付けるための技術に関する。
【背景技術】
【０００２】
ＣＣＤ素子等の撮像素子を持つカメラ装置に、赤外カットフィルタやローパスフィルタ等の光学フィルタを組込む場合、例えば、該光学フィルタを撮像素子の撮像面にあるカバーガラス上に接着剤等を介して接着固定する構成が考えられる（第１の背景技術）。
【０００３】
さらに、光学フィルタを所定の枠体内に嵌め込んで、ピン等で抜止めを図る構成が考えられる（第２の背景技術）。
【０００４】
また、光学フィルタを所定のホルダ内に収納すると共に、これとは別部材であるゴム板等の弾性部材で光学フィルタを押込むようにして、光学フィルタの固定を行う構成が考えられる（第３の背景技術）。
【発明の開示】
【発明が解決しようとする課題】
【０００５】
しかしながら、第１の背景技術では、接着面にゴミ等の異物がつかないようにクリーンルーム等の清浄な環境で接着作業を行う必要がある。また、光学フィルタには縦横の方向性があるところ、接着剤による場合には、いずれの方向でも接着固定可能であるため、取付方向の間違いが無いように、また、光学フィルタの方向性に関して取付精度を十分に得ることができるように留意する必要がある。このため、接着作業が非常に面倒である。
【０００６】
また、第２の背景技術では、光学フィルタを所定の枠体内に配設して、ピン等で抜止めを図っているため、その抜止めのピンがある分、コストアップを招く。また、枠体内に光学フィルタを嵌め込んで、ピン等で抜止めを図るだけの構成であるため、当該枠体内で光学フィルタががたつく恐れがある。
【０００７】
また、第３の背景技術では、弾性部材により光学フィルタを押込む構成であるため、光学フィルタのがたつき防止という点では有効であるが、ホルダとは別部材である弾性部材を用いているため、その材料コスト及び取付作業コスト分、コストアップを招く。
【０００８】
そこで、本発明は、光学フィルタをがたつきなく低コストで取付けることができる技術を提供することにある。
【課題を解決するための手段】
【０００９】
上記課題を解決するため、この発明は、撮像素子の撮像面前方に光学フィルタを保持する光学フィルタ保持装置であって、前記光学フィルタを収容可能な収容開口部が形成された本体部と、前記収容開口部の内周部に形成され前記光学フィルタの一方面側に当接可能な当接部と、前記収容開口部の内周部に突設されて前記光学フィルタの内外方向で弾性変形自在な弾性片と前記弾性片の先端部に前記収容開口部の内向きに突設され前記光学フィルタの他方面側周縁部に抜止め状に係合可能な係合凸部とを有する抜止係合部と、を有する光学フィルタ保持部材を備え、前記係合凸部は、前記光学フィルタの他方面側周縁部に当接して、前記弾性片の弾性復帰力により前記光学フィルタを前記当接部側に向けて付勢する付勢面を有するものである。
【００１０】
なお、前記付勢面は、前記当接部とは反対側に向けて前記収容開口部の内向きに傾斜する形状に形成されていてもよい。
【００１１】
また、前記付勢面が当接する部分が、その付勢面と面接触可能なフィルタ側傾斜面に形成された光学フィルタをさらに備えていてもよい。
【００１２】
さらに、前記係合凸部は、前記当接部とは反対側に向けて前記収容開口部の外向きに傾斜するガイド傾斜面を有していてもよい。
【００１３】
また、前記撮像面の前方周囲を取囲むように配設される遮光周壁部をさらに備えていてもよい。
【００１４】
また、複数の前記抜止係合部が、前記光学フィルタにその周囲四方から係合する各位置に設けられていてもよい。
【００１５】
また、前記抜止係合部は、前記光学フィルタが正常姿勢で前記収容開口部内に嵌め込まれた状態で、前記光学フィルタの他方面側周縁部に抜止め状に係合可能な位置に形成されていてもよい。
【００１６】
さらに、前記光学フィルタは、前記光学フィルタは、縦横の長さが異なる形状に形成され、前記抜止係合部は、前記光学フィルタが正常姿勢で前記収容開口部内に嵌め込まれた状態で、前記光学フィルタの他方面側周縁部にその周囲四方からそれぞれ係合する各位置に設けられていてもよい。
【００１７】
さらに、前記当接部と係合凸部とは、前記撮像面よりもその前方に配設されることとなるレンズ系の焦点位置に近い位置で、前記光学フィルタを保持するとよい。
【発明の効果】
【００１８】
この発明の光学フィルタ保持装置によると、光学フィルタを収容開口部内に嵌め込んで、当接部を光学フィルタの一方面側に当接させると共に、抜止係合部の係合凸部を光学フィルタの他方面側周縁部に抜止め状に係合させることで、簡易な構成かつ容易な作業で、低コストに光学フィルタの取付を行える。また、光学フィルタの取付状態で、係合凸部の付勢面が、前記光学フィルタの他方面側周縁部に当接して、弾性片の弾性復帰力により光学フィルタを当接部側に向けて付勢しているため、光学フィルタのがたつきを有効に防止できる。
【００１９】
また、前記付勢面が、前記当接部とは反対側に向けて前記収容開口部の内向きに傾斜する形状に形成されていると、弾性片が収容開口部の内向きに弾性復帰することで、該付勢面が光学フィルタの他方面側周縁部に当接して、この光学フィルタを当接部側に向けて付勢して、そのがたつきを防止する。
【００２０】
さらに、光学フィルタのうち付勢面が当接する部分を、その付勢面と面接触可能なフィルタ側傾斜面に形成しておくと、それら傾斜面とフィルタ側傾斜面とが面接触し、光学フィルタを安定して当接部に向けて付勢する。
【００２１】
また、前記係合凸部が、前記当接部とは反対側に向けて前記収容開口部の外向きに傾斜するガイド傾斜面を有していると、光学フィルタを収容開口部内に嵌め込む際に、光学フィルタの周縁部がガイド傾斜面に摺接して、抜止係合部を外方に弾性変形させる。従って、光学フィルタを容易に収容開口部内に嵌め込むことができる。
【００２２】
また、撮像面の前方周囲を取囲むように配設される遮光周壁部をさらに備えていると、余分な入射光を遮光することができ、撮像画像中での迷光発生等を防止できる。
【００２３】
また、複数の前記抜止係合部が、前記光学フィルタにその周囲四方から係合する各位置に設けられていると、その光学フィルタのがたつきをより確実に防止できる。
【００２４】
また、抜止係合部は、光学フィルタが正常姿勢で前記収容開口部内に嵌め込まれた状態で、前記光学フィルタの他方面側周縁部に抜止め状に係合可能な位置に形成されていると、光学フィルタの取付姿勢の間違いやずれ等を防止できる。
【００２５】
さらに、前記光学フィルタは、縦横の長さが異なる形状に形成され、前記抜止係合部は、前記光学フィルタが正常姿勢で前記収容開口部内に嵌め込まれた状態で、前記光学フィルタの他方面側周縁部にその周囲四方からそれぞれ係合する各位置に設けられていると、光学フィルタの取付姿勢の間違いやずれ等を防止できる。特に、光学フィルタの縦横の取付間違いを防止することができる。
【００２６】
さらに、前記当接部と係合凸部とは、前記撮像面よりもその前方に配設されることとなるレンズ系の焦点位置に近い位置で、前記光学フィルタを保持すると、その光学フィルタの小型化を図ることができる。
【発明を実施するための最良の形態】
【００２７】
以下、この発明の実施形態に係る光学フィルタ保持装置について説明する。図１は光学フィルタ保持装置が適用されるカメラ装置の全体構成を示す分解斜視図である。
【００２８】
このカメラ装置は、例えば、自動車のフロントグリル、ドアミラー、後端部等に搭載される。そして、撮像装置により車両両側の左右の景色や車両の前方、後方下部の景色等の車両周辺景色を撮像する。これらの撮像画像は、例えば車両内部に設置されたＬＣＤ（液晶ディスプレイ）等からなる表示手段に表示される。
【００２９】
なお、本光学フィルタ保持装置は、かかる車載用のカメラ装置の他、一般的なビデオカメラ装置や、デジタルスチルカメラ装置等、撮像素子により撮像を行うカメラ装置であってその撮像素子前方に光学フィルタが配設されるもの全般に適用できる。
【００３０】
このカメラ装置の全体構成について説明しておくと、カメラ装置は、リアケース１２と、撮像素子としてのＣＣＤ素子１４と、光学フィルタ４０を組込んだ遮光カバー３０と、レンズホルダ２０と、レンズ系１８とを備えている。
【００３１】
リアケース１２は、一方側が開口する略筺状に形成されており、この内部に、ＣＣＤ素子１４、遮光カバー３０及びレンズホルダ２０が収容される。また、リアケース１２内の４隅には、ねじ穴１２ｈが形成されている。そして、ねじをねじ穴１２ｈに螺合締結させることによって、図示省略のフロントケースが本リアケース１２の前方に取付固定される。これらフロントケースとリアケース１２によって形成される封止状の空間内に、上記ＣＣＤ素子１４、遮光カバー３０、レンズホルダ２０及びレンズ系１２が収容される。
【００３２】
ＣＣＤ素子１４は、基板１５上に実装固定された状態で、リアケース１２内におけるレンズ系１８の後方側に配設される。なお、撮像素子としては、上記ＣＣＤ素子１４の他、ＣＭＯＳ型の撮像素子等を用いることができる。この基板１５には、信号処理回路や素子制御回路、電源回路が形成されており、図示省略のワイヤーハーネスを介して外部に接続される。
【００３３】
この基板１５の４隅近傍には、レンズホルダ２０との固定用のねじ挿通孔１５ｈが形成されている。
【００３４】
遮光カバー３０は、ＣＣＤ素子１４に対する余分な入射光を遮光すると共に、光学フィルタ４０をＣＣＤ素子１４の前方所定位置に保持するための部材である。この遮光カバー３０及びこれにより保持される光学フィルタ４０の構成については後に詳述する。
【００３５】
レンズホルダ２０は、ＣＣＤ素子１４の前方に、遮光カバー３０及びレンズ系１８を配設保持するための部材であり、ホルダ本体部２２と、そのホルダ本体部２２の一方面側に突設された支持筒部２４とを備えている。
【００３６】
支持筒部２４は、ＣＣＤ素子１４の前方に延びる短筒状の部材に形成されている。この支持筒部２４の先端側開口内部に、レンズ系１８の基端部が挿入保持されることで、レンズ系１８がＣＣＤ素子１４の前方位置に配設固定される。
【００３７】
また、上記ホルダ本体部２２の他方面側であって上記支持筒部２４の基端側開口に臨む位置に、遮光カバー３０を収容配置可能な収容凹部（図示省略）が形成されている。遮光カバー３０は、この収容凹部内に収容固定されることで、ＣＣＤ素子１４とレンズ系１８間に所定姿勢で介在配置されるように構成されている。
【００３８】
さらに、ホルダ本体部２２の四隅近傍部分に、ねじ挿通孔２３ｈを有するねじ止部２３が形成されている。そして、図示省略のねじをねじ止部２３のねじ挿通孔２３ｈ及び基板１５側のねじ挿通孔１５ｈに挿通させて、ナット等に螺合締結させることで、ＣＣＤ素子１４を実装した基板１５とレンズホルダ２０とが合体される。これにより、レンズホルダ２０を介して、ＣＣＤ素子１４の前方に遮光カバー３０及びレンズ系１８が配設固定されるようになる。
【００３９】
レンズ系１８は、ＣＣＤ素子１４の前方に配設され、所定の撮像範囲の像をＣＣＤ素子１４の撮像面１４ａに結像させるための光学系要素であり、例えば、複数のレンズの組合せであるレンズ群により構成されている。このレンズ系は、略筒状のレンズ鏡筒により収容保持されている。
【００４０】
このようなカメラ装置において、遮光カバー３０及び光学フィルタ４０とを備えた光学フィルタ保持装置は、次のように構成されている。
【００４１】
図２は遮光カバー３０を示す正面図、図３は遮光カバー３０を示す背面図、図４（ａ）は遮光カバー３０と光学フィルタ４０との組付前の状態を示す斜視図、図４（ｂ）は遮光カバー３０を示す断面図、図５（ａ）は遮光カバー３０と光学フィルタ４０との組付後の状態を示す斜視図、図５（ｂ）は同組付後の状態を示す断面図である。
【００４２】
光学フィルタ４０は、レンズ系１８を透過してＣＣＤ素子１４に入射する光の強度、分光分布等を変化させる光学素子であり、例えば、赤外カットフィルタやローパスフィルタ等である。ここでは、光学フィルタ４０は、略方形板状に形成されている。
【００４３】
遮光カバー３０は、上記ＣＣＤ素子１４の撮像面１４ａ前方に光学フィルタ４０を保持する光学フィルタ保持部材としての機能と、ＣＣＤ素子１４への余分な入射光を遮光する遮光部材としての機能とを有している。
【００４４】
すなわち、遮光カバー３０は、樹脂等により形成される部材である。特に、後述する弾性片３７部分に、弾性力を持たせるため、ＰＰ（ポリプロピレン）やＰＣ（ポリカーボネイト）、ガラスを含有しないＰＢＴ（ポリブチレンテレフタレート）等、弾性のある樹脂で、遮光カバー３０を形成することが好ましい。
【００４５】
この遮光カバー３０は、カバー本体部３２と当接部３５と抜止係合部３６とを備えている。
【００４６】
カバー本体部３２は、上記ホルダ本体部２２内の収容凹部内に収容可能な形状に形成されている。ここでは、所定厚み寸法を持つ略円形板状に形成されると共に、その両側部に突起部３２ａが形成された構成とされている。そして、ホルダ本体部２２内の収容凹部内に所定姿勢で収容固定されるように構成されている。
【００４７】
また、このカバー本体部３２に、収容開口部３４が形成されている。収容開口部３４は、光学フィルタ４０を収容可能な略方形の開口形状に形成されている。
【００４８】
また、カバー本体部３２のうち収容開口部３４を取囲む部分は、ＣＣＤ素子１４の撮像面１４ａの前方周囲を取囲むように配設される遮光周壁部３２ｂとされている。この遮光周壁部３２ｂは、上記レンズ系１８を透過して当該撮像面１４ａに入射する光以外の余分な光、例えば、光学フィルタ４０周りやＣＣＤ素子１４周りからの余分な入射光が撮像面１４ａに入射するのをカットする形状に形成されている。
【００４９】
また、収容開口部３４の内周部に、光学フィルタ４０の一方面側に当接可能な当接部３５が形成されている。ここでは、カバー本体部３２の一方面側（ここではＣＣＤ素子１４側）であって収容開口部３４の内周部に、その内側に突出するようにして当接部３５が形成されている。そして、収容開口部３４の他方面側（ここではレンズ系１８側）開口より、光学フィルタ４０を当該収容開口部３４内に嵌め込むと、該当接部３５が光学フィルタ４０の一方面側の周縁部に当接するように構成されている。
【００５０】
なお、当接部３５は、収容開口部３４の内周部全体に亘って突出形成されていても、或は、間欠的に形成された構成であってもよい。
【００５１】
また、収容開口部３４の内周部に、抜止係合部３６が突出形成されている。ここでは、上記光学フィルタ４０にその周囲４方から係合する各位置、より具体的には、光学フィルタ４０の４つの辺の略中間位置に４つの抜止係合部３６が形成されている。
【００５２】
各抜止係合部３６は、弾性片３７と弾性片３７の先端部に突出形成された係合凸部３８とを有している。弾性片３７は、当接部３５の内周縁部からカバー本体部３２の他方面側に向けて延びる略長方形板状に形成されており、光学フィルタ４０の内外方向で弾性変形自在に形成されている。また、この弾性片３７の先端部に、収容開口部３４の内向きに突出するようにして、係合凸部３８が形成されている。
【００５３】
そして、光学フィルタ４０の一方面側周縁部を上記当接部３５に当接させるようにして、その光学フィルタ４０を収容開口部３４内に収容させた状態で、係合凸部３８が光学フィルタ４０の他方面側周縁部に抜止め状に係合するように構成されている。
【００５４】
また、このように、係合凸部３８が光学フィルタ４０の他方面側周縁部に抜止め状に係合した状態で、弾性片３７が収容開口部３４の内側に弾性復帰する力を受けて、係合凸部３８が光学フィルタ４０を当接部３５側に向けて付勢するように構成されている。
【００５５】
すなわち、係合凸部３８は、当接部３５とは反対側に向けて収容開口部３４の内向きに傾斜する付勢面３８ａと、当接部３５とは反対側に向けて収容開口部３４の外向きに傾斜するガイド傾斜面３８ｂを有している（図６及び図７参照）。
【００５６】
付勢面３８ａは、光学フィルタ４０の一方面側周縁部を当接部３５に当接させるようにして該光学フィルタ４０を収容開口部３４内に収容配置した状態で、光学フィルタ４０の他方側周縁部に当接する位置、即ち、係合凸部３８のうち弾性片３７の基端側よりの位置に形成されている。そして、弾性片３７の収容開口部３４内側への弾性復帰力により光学フィルタ４０を当接部３５側に向けて付勢するするように構成されている。
【００５７】
また、ガイド傾斜面３８ｂは、光学フィルタ４０を収容開口部３４内に押込む際に、該光学フィルタ４０の外周部に摺接可能な位置、即ち、係合凸部３８のうち弾性片３７の先端側よりの位置に形成されている。
【００５８】
そして、光学フィルタ４０を収容開口部３４内に押込む際に、光学フィルタ４０の外周部がガイド傾斜面３８ｂに摺接して、係合凸部３８を収容開口部３４の外方に弾性変形させる構成となっている。
【００５９】
本実施形態に係る光学フィルタ保持装置では、図６に示すように、収容開口部３４の他方側（レンズ系１８側）開口より、光学フィルタ４０を収容開口部３４内に押込むと、該光学フィルタ４０の外周部が上記ガイド傾斜面３８ｂに摺接して、抜止係合部３６の先端部を外方に弾性変形させる。そして、光学フィルタ４０の一方面側周縁部を当接部３５に当接させるまで、光学フィルタ４０を収容開口部３４内のさらに奥に押込む。すると、係合凸部３８が光学フィルタ４０の外周部を乗越えて、抜止係合部３６の先端部が内側に弾性復帰する。これにより、図７に示すように、該係合凸部３８が光学フィルタ４０の他方面側外周部に係合するようになっている。
【００６０】
また、このように係合凸部３８が光学フィルタ４０の他方面側外周部に係合した状態では、抜止係合部３６が完全に原形に弾性復帰する前の姿勢で、付勢面３８ａが光学フィルタ４０の他方面側外周部に当接する。これにより、抜止係合部３６が収容開口部３４の内側に向けて原形に弾性復帰しようとする力が、光学フィルタ４０を収容開口部３４の内側に押込む力、及び、光学フィルタ４０を当接部３５側に押付ける力として作用する。
【００６１】
そして、光学フィルタ４０を当接部３５側に押付ける力により、光学フィルタ４０の厚み方向におけるがたつきが防止される。また、光学フィルタ４０を収容開口部３４の内側に押込む力を、４つの抜止係合部３６により光学フィルタ４０の周囲４方から作用させることで、光学フィルタ４０の扁平方向におけるがたつきが防止される。
【００６２】
このようにして、光学フィルタ４０を遮光カバー３０に組込んで、該遮光カバー３０をレンズホルダ２０の収容凹部内に嵌め込むようにして取付固定する。そして、ＣＣＤ素子１４を実装固定した基板１５及びレンズ系１８を、レンズホルダ２０にねじ止等で固定する。その後、レンズホルダ２０をリヤケース１２又はフロントケースにねじ止等で固定して、それらをリヤケース１２とフロントケース内空間に収容するようにして、リヤケース１２とフロントケースとを組合わせてねじ止等で固定すると、カメラ装置が完成する。
【００６３】
以上のように本実施形態によると、光学フィルタ４０を収容開口部３４内に嵌め込んで、当接部３５を光学フィルタ４０の一方面側周縁部に当接させるとと共に、抜止係合部３６の係合凸部３８を光学フィルタ４０の他方面側周縁部に抜止め状に係合させ、この遮光カバー３０とＣＣＤ素子１４とを固定することで、ＣＣＤ素子１４の前方に光学フィルタ４０を配設固定できる。このため、簡易な構成かつ容易な作業で、低コストに光学フィルタ４０の取付を行える。また、従来のように接着固定する場合には、接着部分にゴミ等が付着するのを防止するため極度に清浄な環境下で取付作業を行う必要があったが、本実施形態では接着作業が不要となるため要求される清浄性は緩和され、この点からしても組立て作業性が良好となる。
【００６４】
しかも、光学フィルタ４０の取付状態で、当接部３５とは反対側に向けて収容開口部３４の内向きに傾斜する形状とされた係合凸部３８の付勢面３８ａが、光学フィルタ４０の他方面側周縁部に当接して、弾性片３７の弾性復帰力により該光学フィルタ４０を当接部３５側に向けて付勢しているため、光学フィルタ４０のがたつきを有効に防止できる。
【００６５】
特に、複数（ここでは４つ）の抜止係合部３６が、光学フィルタ４０の周囲四方から係合する各位置に設けられているため、その光学フィルタ４０の扁平方向（上下左右方向）へのがたつきをより確実に防止できる。
【００６６】
また、係合凸部３８は、当接部３５とは反対側に向けて収容開口部３４の外向きに傾斜するガイド傾斜面３８ｂを有しているため、光学フィルタ４０を収容開口部３４内に嵌め込む際に、光学フィルタ４０の周縁部がガイド傾斜面３８ｂに摺接して、抜止係合部３６を収容開口部３４の外方に弾性変形させる。従って、光学フィルタ４０を収容開口部３４内に押込むことで、容易に光学フィルタ４０の取付を行える。
【００６７】
さらに、遮光カバー３０は、上記光学フィルタ４０を保持する構成に加えて、遮光周壁部３２ｂにより、レンズ系１８を透過して当該撮像面１４ａに入射する光以外の余分な光、例えば、光学フィルタ４０周りやＣＣＤ素子１４周りからの余分な入射光が撮像面１４ａに入射するのを遮光する構成とされている。このため、単一の構成部品によって、光学フィルタ４０の取付固定及び余分な入射光の遮光とを実現でき、構成の簡易化に貢献する。
【００６８】
なお、図８に示す変形例のように、光学フィルタ４０のうち上記付勢面３８ａが当接する部分が、その付勢面３８ａと面接触可能なフィルタ傾斜面４１に形成しておくとよい。
【００６９】
これにより、付勢面３８ａと光学フィルタ４０のフィルタ傾斜面４１とが面接触しつつ、係合凸部３８が光学フィルタ４０を当接部３５に向けて付勢するため、その付勢力が安定して光学フィルタ４０に作用する。
【００７０】
また、本実施形態において、例えば、レンズホルダ２０の収容開口部３４や当接部３５，抜止係合部３６が、表裏逆に形成され、光学フィルタ４０が撮像素子１４側から嵌め込んで装着できる構成とされていてもよい。
【００７１】
また、図９（ｄ）に示すように、複数の抜止係合部１３６は、光学フィルタ４０が正常姿勢で収容開口部３４内に嵌め込まれた状態で、該光学フィルタ４０の周縁部に係合可能な位置に形成されているとよい。
【００７２】
すなわち、図９（ａ）及び図９（ｂ）に示すように、光学フィルタ４０のなかには、例えば、ローパスフィルタのように縦横の方向性を持つものがある。
【００７３】
そこで、光学フィルタ１４０の形状を所定方向に長い（縦横の長さが異なる）長方形状に形成すると共に、遮光カバー１３０に形成される複数の抜止係合部１３６を、該光学フィルタ１４０の光学フィルタ１４０の周囲４辺、即ち、一対の長辺及び一対の短辺にそれぞれ係合可能な位置に形成する。
【００７４】
そして、光学フィルタ１４０を正常姿勢で収容開口部３４内に収容した状態では、各抜止係合部１３６が一対の長辺及び一対の短辺にそれぞれ係合する。一方、光学フィルタ１４０を上記正常姿勢から若干傾いた状態（図９（ｃ）参照）で、収容開口部内に嵌め込むと、各抜止係合部１３６が光学フィルタ１４０の一対の長辺及び一対の短辺にそれぞれ係合することで、該光学フィルタ１４０が正常姿勢となるように補正された状態で固定される。また、光学フィルタ１４０を上記正常姿勢から大きく傾いた状態や、９０゜回転させた状態で、収容開口部内に嵌め込むと、各抜止係合部１３６が光学フィルタ１４０の周縁部に当接・干渉して、該光学フィルタ１４０の取付が妨げられる。
【００７５】
これにより、比較的容易に、光学フィルタ１４０の取付姿勢（特に、光学フィルタ１４０の縦横方向）の間違いやずれ等を防止しつつ、光学フィルタ１４０の取付を行える。
【００７６】
なお、光学フィルタ１４０が上記のような略長方形状以外の場合であっても、その縦横の長さがことなる形状（例えば楕円形状）である場合に、各抜止係合部１３６をその四方から係合する各位置に設けることで、該フィルタの取付姿勢の間違い等を防止できる。
【００７７】
また、図１０に示すように、光学フィルタ２４０をＣＣＤ素子２１４の撮像面２１４ａに直接接着剤等で固定した場合には、光学フィルタ２４０は、撮像面２１４ａに対応する大きさを有している必要がある。
【００７８】
そこで、図１１に示す変形例のように、遮光カバー３３０の当接部と係合凸部とが、ＣＣＤ素子１４の撮像面１４ａよりも、その前方に配設されることとなるレンズ系１８の焦点位置Ｐに近い位置で、光学フィルタ３４０を保持するとよい。
【００７９】
これにより、レンズ系１８を通って撮像面１４ａに入射する光線束が細くなる位置に、光学フィルタ３４０を配設することができるため、光学フィルタ４０の大きさを、図１０に示す場合よりも小さくすることができ、低コスト化を図ることができる。
【図面の簡単な説明】
【００８０】
【図１】この発明の実施形態に係るカメラ装置の全体構成を示す分解斜視図である。
【図２】遮光カバーを示す正面図である。
【図３】遮光カバーを示す背面図である。
【図４】図４（ａ）は遮光カバーと光学フィルタとの組付前の状態を示す斜視図であり、図４（ｂ）は遮光カバーを示す断面図である。
【図５】図５（ａ）は遮光カバーと光学フィルタとの組付後の状態を示す斜視図、図５（ｂ）は同組付後の状態を示す断面図である。
【図６】光学フィルタの外周部がガイド傾斜面に摺接した状態を示す説明図である。
【図７】係合凸部が光学フィルタの外周部に係合した状態を示す説明図である。
【図８】光学フィルタ部分に関する変形例を示す説明図である。
【図９】光学フィルタを正常姿勢で取付けるための変形例を示す説明図である。
【図１０】従来の問題を示す説明図である。
【図１１】光学フィルタの取付位置に関する変形例を示す説明図である。
【符号の説明】
【００８１】
１４  ＣＣＤ素子
１４ａ  撮像面
１８  レンズ系
２０  レンズホルダ
３０  遮光カバー
３２  カバー本体部
３２ｂ  遮光周壁部
３４  収容開口部
３５  当接部
３６  抜止係合部
３７  弾性片
３８  係合凸部
３８ａ  付勢面
３８ｂ  ガイド傾斜面
４０  光学フィルタ
４１  フィルタ傾斜面
１３０  遮光カバー
１３６  抜止係合部
１４０  光学フィルタ
３３０  遮光カバー
３４０  光学フィルタ
Ｐ  焦点位置
【図１】
2005309051.tif 000003
【図２】
2005309051.tif 000004
【図３】
2005309051.tif 000005
【図４】
2005309051.tif 000006
【図５】
2005309051.tif 000007
【図６】
2005309051.tif 000008
【図７】
2005309051.tif 000009
【図８】
2005309051.tif 000010
【図９】
2005309051.tif 000011
【図１０】
2005309051.tif 000012
【図１１】
2005309051.tif 000013